(57)【要約】【課題】携帯機器の携帯性を損ねることなく、消費電力を増大させることなく、画像からＩＤを解読することが可能なシステムを提供する。【解決手段】本発明は、携帯用機器に、画像を取り込む画像取込手段と、画像を、高速で無線通信が可能な通信手段を用いて、リモートプロセッサに送信する画像送信手段と、リモートプロセッサから通信手段を介してＩＤを取得するＩＤ受信手段とを備え、リモートプロセッサには、送信された画像を通信手段を用いて受信する画像受信手段と、受信した画像を解読・認識することにより、ＩＤを検出するＩＤ解読手段と、解読されたＩＤを高速で無線通信が可能な通信手段を用いて携帯用機器に送信するＩＤ送信手段と、を有する。【選択図】      図１
2004179782.tif 000002
【特許請求の範囲】
【請求項１】
画像を取り込むことが可能な携帯用機器と、該携帯用機器と至近距離で使用されるリモートプロセッサからなる携帯用リモートプロセッサッステムであって、
前記携帯用機器は、
カメラまたは、スキャナを含む画像を取り込む画像取込手段と、
前記画像取込手段により取り込まれた画像を、高速で無線通信が可能な通信手段を用いて、前記リモートプロセッサに送信する画像送信手段と、
前記リモートプロセッサから前記通信手段を介して、画像に対応するＩＤを取得するＩＤ受信手段と、を有し、
前記リモートプロセッサは、
前記携帯用機器から前記高速で無線通信が可能な通信手段を用いて前記画像を受信する画像受信手段と、
受信した前記画像を解読・認識することにより、ＩＤを検出するＩＤ解読手段と、
解読された前記ＩＤを前記高速で無線通信が可能な通信手段を用いて前記携帯用機器に送信するＩＤ送信手段と、を有することを特徴とする携帯用リモートプロセッサシステム。
【請求項２】
画像を取り込むことが可能な携帯用機器と、該携帯用機器と至近距離で使用されるリモートプロセッサからなる携帯用リモートプロセッサッステムであって、
前記携帯用機器は、
カメラまたは、スキャナを含む画像を取り込む画像取込手段と、
前記画像取込手段により取り込まれた画像を、高速で無線通信が可能な通信手段を用いて、前記リモートプロセッサに送信する画像送信手段と、
前記リモートプロセッサから前記通信手段を介して、画像に対応するＩＤを取得するＩＤ受信手段と、
前記リモートプロセッサから取得したＩＤを公衆無線回線を介して送信するＩＤ公衆無線回線送信手段と、を有し、
前記リモートプロセッサは、
前記携帯用機器から前記高速で無線通信が可能な通信手段を用いて前記画像を受信する画像受信手段と、
受信した前記画像を解読・認識することにより、ＩＤを検出するＩＤ解読手段と、
解読された前記ＩＤを前記高速で無線通信が可能な通信手段を用いて前記携帯用機器に送信するＩＤ送信手段と、を有することを特徴とする携帯用リモートプロセッサシステム。
【請求項３】
画像を取り込むことが可能な携帯用機器と、該携帯用機器と至近距離で使用されるリモートプロセッサからなる携帯用リモートプロセッサッステムであって、
公衆無線回線に接続され、ＩＤに対応する情報を格納する情報データベースを有し、受信したＩＤに対応する情報を提供する外部サーバを更に有し、
前記携帯用機器は、
カメラまたは、スキャナを含む画像を取り込む画像取込手段と、
前記画像取込手段により取り込まれた画像を、高速で無線通信が可能な通信手段を用いて、前記リモートプロセッサに送信する画像送信手段と、
前記リモートプロセッサから前記通信手段を介して、画像に対応するＩＤを取得するＩＤ受信手段と、
前記リモートプロセッサから取得したＩＤを公衆無線回線を介して前記外部サーバに送信するＩＤ公衆無線回線送信手段と、
前記外部サーバから送信したＩＤに対応する情報を受信する情報受信手段と、を有し、
前記リモートプロセッサは、
前記携帯用機器から前記高速で無線通信が可能な通信手段を用いて前記画像を受信する画像受信手段と、
受信した前記画像を解読・認識することにより、ＩＤを検出するＩＤ解読手段と、
解読された前記ＩＤを前記高速で無線通信が可能な通信手段を用いて前記携帯用機器に送信するＩＤ送信手段と、を有することを特徴とする携帯用リモートプロセッサシステム。
【請求項４】
前記ＩＤ解読手段は、
受信した前記画像から、電子透かし、バーコード、文字からＩＤを検出する、または、通常画像から直接ＩＤに対応付けする手段を含む請求項１乃至３記載の携帯用リモートプロセッサシステム。
【発明の詳細な説明】
【０００１】
【発明の属する技術分野】
本発明は、携帯用リモートプロセッサシステムに係り、特に、カメラ付き携帯機器により物体に貼り付けてあるＩＤを読み取り、当該ＩＤに関連付けられた情報を表示あるいは再生するための携帯用リモートプロセッサシステムに関する。
【従来の技術】
従来、カメラ付き携帯機器により物体に貼り付けてあるＩＤを読み取り、ＩＤに関連付けられた情報を携帯機器上で表示あるいは、再生する技術があり、ＩＤとしては、バーコード、活字、電子透かし、フィンガープリティングなどが使われている。このＩＤを読み取るためには、携帯機器内で画像からＩＤを解読するか、画像をネットワーク経由で別のサーバに送り、そのサーバ上でＩＤを解読する（例えば、特許文献１、特許文献２、特許文献３参照。）。
【０００２】
【特許文献１】
特願２００２−１８６８３４号「マルチＩＤサービス紹介システム」
【特許文献２】
特開２００２−１７６５０９号公報（ｐ４，図１）「携帯型情報読取装置」
【特許文献３】
特開２００１−２５６９７０号公報（ｐ４〜５，図１）「２次元コードを用いた商品、サービスの取引情報処理システム」
【０００３】
【発明が解決しようとする課題】
しかしながら、上記従来技術において、物体に貼り付けてあるＩＤを読み取らせるためには、携帯機器内で画像からＩＤを解読するか、画像をネットワーク経由で別のサーバに送り、そのサーバ上でＩＤを解読する必要がある。
【０００４】
解読機能を携帯機器に持たせると、ＩＤ解読の計算量が多くため、機器が大型化し、携帯性を損なうと共に、消費電力が増大するという問題がある。
【０００５】
また、画像をサーバに送る場合は、ネットワークの速度が遅いと通信時間が係り、ＩＤをカメラで映してから結果を得るという一連の操作の操作性を損なうという問題がある。
【０００６】
本発明は、上記の点に鑑みなされたもので、携帯機器の携帯性を損ねることなく、消費電力を増大させることなく、画像からＩＤを解読することが可能な携帯用リモートプロセッサシステムを提供することを目的とする。
【０００７】
【課題を解決するための手段】
図１は、本発明の第１の原理構成図である。
【０００８】
本発明は、画像を取り込むことが可能な携帯用機器１００と、携帯用機器１００と至近距離で使用されるリモートプロセッサ２００からなる携帯用リモートプロセッサッステムであって、
携帯用機器１００は、
カメラまたは、スキャナを含む画像を取り込む画像取込手段１１０と、
画像取込手段１１０により取り込まれた画像を、高速で無線通信が可能な通信手段を用いて、リモートプロセッサ２００に送信する画像送信手段１２０と、
リモートプロセッサ２００から通信手段を介して、画像に対応するＩＤを取得するＩＤ受信手段１３０と、を有し、
リモートプロセッサ２００は、
携帯用機器１００から高速で無線通信が可能な通信手段を用いて画像を受信する画像受信手段２１０と、
受信した画像を解読・認識することにより、ＩＤを検出するＩＤ解読手段２２０と、
解読されたＩＤを高速で無線通信が可能な通信手段を用いて携帯用機器１００に送信するＩＤ送信手段２３０と、を有する。
【０００９】
図２は、本発明の第２の原理構成図である。
【００１０】
本発明は、画像を取り込むことが可能な携帯用機器１００と、携帯用機器１００と至近距離で使用されるリモートプロセッサ２００からなる携帯用リモートプロセッサッステムであって、
携帯用機器１００は、
カメラまたは、スキャナを含む画像を取り込む画像取込手段１１０と、
画像取込手段１１０により取り込まれた画像を、高速で無線通信が可能な通信手段を用いて、リモートプロセッサ２００に送信する画像送信手段１２０と、
リモートプロセッサ２００から通信手段を介して、画像に対応するＩＤを取得するＩＤ受信手段１３０と、
リモートプロセッサ２００から取得したＩＤを公衆無線回線を介して送信するＩＤ公衆無線回線送信手段１４０と、を有し、
リモートプロセッサ２００は、
携帯用機器１００から高速で無線通信が可能な通信手段を用いて画像を受信する画像受信手段２１０と、
受信した画像を解読・認識することにより、ＩＤを検出するＩＤ解読手段２２０と、
解読されたＩＤを高速で無線通信が可能な通信手段を用いて携帯用機器１００に送信するＩＤ送信手段２３０と、を有する。
【００１１】
図３は、本発明の第３の原理構成図である。
【００１２】
本発明は、画像を取り込むことが可能な携帯用機器１００と、携帯用機器１００と至近距離で使用されるリモートプロセッサ２００からなる携帯用リモートプロセッサッステムであって、
公衆無線回線に接続され、ＩＤに対応する情報を格納する情報データベース３１０を有し、受信したＩＤに対応する情報を提供する外部サーバ３００を更に有し、
携帯用機器１００は、
カメラまたは、スキャナを含む画像を取り込む画像取込手段１１０と、
画像取込手段１１０により取り込まれた画像を、高速で無線通信が可能な通信手段を用いて、リモートプロセッサ２００に送信する画像送信手段１２０と、
リモートプロセッサ２００から通信手段を介して、画像に対応するＩＤを取得するＩＤ受信手段１３０と、
リモートプロセッサ２００から取得したＩＤを公衆無線回線を介して外部サーバ３００に送信するＩＤ公衆無線回線送信手段１４０と、
外部サーバ３００から送信したＩＤに対応する情報を受信する情報受信手段１５０と、を有し、
リモートプロセッサ２００は、
携帯用機器１００から高速で無線通信が可能な通信手段を用いて画像を受信する画像受信手段２１０と、
受信した画像を解読・認識することにより、ＩＤを検出するＩＤ解読手段２２０と、
解読されたＩＤを高速で無線通信が可能な通信手段を用いて携帯用機器１００に送信するＩＤ送信手段２３０と、を有する。
【００１３】
また、ＩＤ解読手段２２０は、受信した画像から、電子透かし、バーコード、文字からＩＤを検出する、または、通常画像から直接ＩＤに対応付けする手段を含む。
【００１４】
上記のように、本発明は、携帯機器に高速無線通信手段を設け、また、高速無線通信手段を持つ付加プロセッサを備える。また、携帯機器に高速無線通信手段を用いて付加プロセッサに画像を送る手段を設け、当該付加プロセッサに画像を処理して、ＩＤを可読する解読手段と、ＩＤを携帯機器に送る手段を持たせたことにより、携帯機器の携帯性を損ねることなく、消費電力を増大させることなく、画像からＩＤを解読することが可能となる。
【００１５】
【発明の実施の形態】
以下、図面と共に本発明の実施の形態を説明する。
【００１６】
［第１の実施の形態］
図４は、本発明の第１の実施の形態における携帯電話機情報サービスシステムの例を示す。
【００１７】
本実施の形態におけるシステムは、カメラ付き携帯電話機１００、リモートプロセッサとしての携帯用ＰＣ，ＰＤＡ２００、ＩＤ情報データベース３００、無線通信手段１０、公衆無線回線２０から構成される。
【００１８】
本実施の形態では、カメラ付き携帯電話機１００と公衆無線回線２０とは別の高速無線通信回線を用いる無線通信手段１０を装備しており、別の無線通信手段１０は、例えば、Ｂｌｕｅｔｏｏｔｈ，ＩＥＥＥ８０２，１１ａ，ＩＥＥＥ８０２．１１ｂ  などの無線プロトコルを用いて実現される。
【００１９】
カメラ付き携帯電話機１００は、撮影を行う画像取込み部１１０、携帯用ＰＣやＰＤＡ（Ｐｅｒｓｏｎａｌ  Ｄｉｇｉｔａｌ  Ａｓｓｉｓｔａｎｔ）  ２００に画像を送信する画像送信部１２０、携帯用ＰＣ・ＰＤＡ２００からＩＤを受信するＩＤ受信部１３０、公衆無線回線２０を介してＩＤ情報データベース３１０にＩＤを送信するＩＤ公衆無線回線送信部１４０及び、公衆無線回線を介してＩＤ情報データベース３１０から情報を受信する情報受信部１５０から構成される。
【００２０】
上記の構成において、携帯電話機１００で撮影した画像を、画像装置１２０が無線プロトコル１０で携帯用ＰＣやＰＤＡ２００へ無線送信する。
【００２１】
撮影する画像は、電子透かし入り画像、バーコード、文字、通常画像である。
携帯用ＰＣやＰＤＡ２００は、画像を携帯電話機１００から受信する画像受信部２１０、画像を解読するＩＤ解読部２２１を有し、ＩＤ解読部２２１には、各々の画像を受信して解読、認識してＩＤを検出するソフトウェアをインストールしておく。各々画像と対応するＩＤ検出ソフトウェアについて以下に説明する。
・電子透かしは、画像に人間の目には分からないようにデータを埋め込む技術であり、解読ソフトウェアは画像から電子透かしを抽出して埋め込まれたデータ（この場合はＩＤ）を取り出す。
【００２２】
・バーコードは、一次元と二次元のものがあり、それぞれいくつかの種類がある。認識ソフトウェアはバーコード画像からバーコードの表すデータを取り出す。
【００２３】
・文字は、文字認識ソフトウェアにより文字そのものを認識する。
【００２４】
・通常画像から直接ＩＤに対応付ける技術は、フィンガープリンティングと呼ばれる。検出画像の特徴量を特殊な計算式で処理し、画像毎のＩＤを算出する。
これらのソフトウェアにより検出されたＩＤは、無線プロトコルで携帯電話機１００へ送信される。携帯電話機１００のＩＤ受信部１３０は、当該ＩＤを受信し、ＩＤ公衆無線回線送信部１４０が、ＩＤを、電子メールやｈｔｔｐプロトコルにて公衆無線回線２０経由でＩＤ情報データベース３１０に送信する。
【００２５】
ＩＤ情報データベース３１０は、ＩＤが情報あるいは、情報へのポインタへ変換し、それを電子メールやｈｔｔｐプロトコルにて携帯電話機１００へ公衆無線回線２０経由で送信する。
【００２６】
携帯電話機１００の情報受信部１５０は、ＩＤ情報データベース３１０からの情報を受信し、受信した情報や情報へのポインタを表現することにより、利用者に提供する。
【００２７】
［第２の実施の形態］
本実施の形態は、リモートプロセッサ２００のＩＤ解析部をハードウェアで構成する例を示す。
【００２８】
図５は、本発明の第２の実施の形態における携帯電話機情報サービスシステムの例を示す。本実施の形態は、ＩＤ解析部として、電子透かし解読、バーコード認識、文字認識、フィンガープリティング検出用のハードウェア２２２を装備した画像認識専用のハードウェア構成としたものであり、他の構成要素は、前述の第１の実施の形態と同様である。当該ハードウェア２２２は、前述の第１の実施の形態における各々の画像を受信して解読、認識してＩＤを検出するソフトウェアと同様の機能を有するものとする。
【００２９】
［第３の実施の形態］
本実施の形態は、携帯電話機を用いて、録画予約を行う例を示す。
【００３０】
図６は、本発明の第３の実施の形態における携帯電話機による録画予約システムの例を示す。
【００３１】
同図に示すシステムにおいて、携帯電話機１００の構成は、第１の実施の形態及び第２の実施の形態におけるＩＤ公衆無線回線送信部１５０を除いた構成であり、処理動作については、携帯用ＰＣ・ＰＤＡ２００から携帯電話機２００へＩＤを送信するまでは第１の実施の形態と同様である。
【００３２】
本実施の形態では、ＩＤ情報データベース３１０ではなく、家庭用ビデオ遠隔録画ユニット３２０を用いる。
【００３３】
本実施の形態におけるＩＤは、番組の録画予約情報を示すもの（例えば、Ｇコード）であり、これを、公衆無線回線２０を介してＩＤ公衆無線回線送信部１４０から電子メールやｈｔｔｐプロトコルで、家庭用ビデオ遠隔録画予約ユニット３２０に送信する。これにより、家庭用ビデオ遠隔録画予約ユニット３２０では、受信したＩＤに従い、ビデオ録画予約を実行する。
【００３４】
［第４の実施の形態］
本実施の形態では、携帯電話機を用いてチケットの予約を行う例を説明する。
図７は、本発明の第４の実施の形態における携帯電話機によるチケット予約システムの例を示す。
【００３５】
本実施の形態の携帯電話機１００は、ＩＤ受信部１３０として、携帯用ＰＣ・ＰＤＡ２００からチケット予約情報を受信する予約情報受信部１３１、ＩＤ公衆無線回線送信部１４０として、チケット自動予約センタ３３０に利用者連絡先を送信する公衆無線回線送信部１４１を備える。
【００３６】
本実施例において、ＩＤとは、チケット予約情報（チケットの種類、チケットの属性、予約申込先）を示すものであり、これと、利用者連絡先（携帯電話番号や携帯メールアドレス）である。
【００３７】
携帯ＰＣ・ＰＤＡ２００から携帯電話機１００へＩＤ（チケット予約情報）を送信するまでの処理は、前述の第１〜第３の実施の形態の動作と同様である。
【００３８】
予約情報受信部１３１がチケット予約情報を携帯用ＰＣ・ＰＤＡ２００から受信すると、公衆無線回線送信部１４１は、電子メールやｈｔｔｐプロトコルで公衆無線回線２０を経由して、チケット自動予約センタ３３０へ送信する。これにおり、チケット自動予約センタ３３０では、受信した情報に従いチケット予約を実行する。
【００３９】
［第５の実施の形態］
本実施の形態では、携帯電話機１００を使用して、撮影された地図からその地図の場所に該当する天気予報のサービスを受けるものである。
【００４０】
図８は、本発明の第５の実施の形態における携帯電話機による天気予報サービスシステムの例を示す。
【００４１】
携帯電話機１００の画像取込み部１１０では、撮影された地図を取り込み、画像送信部１２０は、取り込まれた地図を送信する。
【００４２】
公衆無線回線送信部１４１は、天気予報センタ４００にＩＤの代わりに、場所情報を送信する。
【００４３】
携帯用ＰＤ・ＰＤＡ２００のＩＤ解析部２２０として、地図を認識して当該地図の場所（緯度と経度）を検出することが可能な地図認識ソフトウェア２２３をインストールしておくものとする。
【００４４】
携帯電話機１００の画像送信部１２０が画像として地図を携帯用ＰＣ・ＰＤＡ２００に送信すると、地図認識ソフトウェア２２３が場所情報を検出し、携帯電話機１００に無線プロトコルで送信する。
【００４５】
携帯電話機１００の場所情報受信部１３１が場所情報を受信すると、公衆無線回線送信部１４１は、場所情報を電子メールやｈｔｔｐプロトコルにて公衆無線回線２０経由で天気予報センタ４００に送信する。
【００４６】
天気予報センタ４００は、受信した場所情報の場所の天気予報を、電子メールやｈｔｔｐプロトコルにて、公衆無線回線２０を介して携帯電話機１００に送信する。
【００４７】
携帯電話機１００は、情報受信部１５０で天気予報を受信して、利用者に提供する。
【００４８】
［第６の実施の形態］
本実施の形態では、現在位置取得機能付き携帯端末電話機１００を用いて、チェーン店の最寄店舗案内サービスを行う例を説明する。
【００４９】
本実施の形態における携帯電話機は、カメラと公衆無線回線とは別の無線通信手段と、現在位置取得部１６０を装備しており、現在位置取得機能は、例えば、ＧＰＳやＰＨＳ網識別を用いて実現される。
【００５０】
携帯電話機１００から送信される画像は、チェーン店の広告画像であり、電子透かしやバーコードや文字やフィンガープリンティングによりチェーン店の種別を識別できるようにしておく。
【００５１】
携帯電話機１００で撮影した画像を、画像送信部１２０より、無線プロトコルで携帯用ＰＣ・ＰＤＡ２００に無線送信する。
【００５２】
携帯用ＰＣ・ＰＤＡ２００には、画像を解読、認識してチェーン店種別を検出することが可能なソフトウェア２２２をインストールしておく。
【００５３】
ソフトウェア２２２により検出されたチェーン店種別は、情報送信部２３１より無線プロトコルで携帯電話機１００に送信される。
【００５４】
携帯電話機１００の公衆無線回線送信部１４１は、受信したチェーン店種別は、現在位置取得部１６０で取得した現在位置情報と共に、Ｅメールやｈｔｔｐプロトコルにより公衆無線回線２０を介してチェーン店データベース３４０に送信される。
【００５５】
チェーン店データベース３４０は、現在位置情報とチェーン店種別から最寄店情報を公衆無線回線２０を介して携帯電話機１００に送信する。
【００５６】
携帯電話機１００の情報受信部１５０は、受信した最寄店舗情報や当該情報へのポインタを表現することにより、利用者に提供する。
【００５７】
［第７の実施の形態］
図１０は、本発明の第１０の実施の形態におけるスキャナ付き携帯電話機を用いたシステムの例である。
【００５８】
本実施の形態では、携帯電話機に付加されているカメラをスキャナ１０１に置き換えた構成であり、動作は、前述の第１の実施の形態と同様である。
【００５９】
スキャナ１０１の場合は、対象画像は紙に印刷されたもの（例えば、名刺）である。
【００６０】
なお、本発明は、上記の実施の形態に限定されることなく、特許請求の範囲内において、種々変更・応用が可能である。
【００６１】
【発明の効果】
上述のように、本発明によれば、携帯機器の携帯性を損ねることなく、消費電力を増大させることなしに、画像からＩＤ（または、他の情報）を解読することができる。
【図面の簡単な説明】
【図１】本発明の第１の原理を説明するための図である。
【図２】本発明の第２の原理を説明するための図である。
【図３】本発明の第３の原理を説明するための図である。
【図４】本発明の第１の実施の形態における携帯電話機情報サービスシステムの例である。
【図５】本発明の第２の実施の形態における携帯電話機情報サービスシステムの例である。
【図６】本発明の第３の実施の形態における携帯電話機による録画予約システムの例である。
【図７】本発明の第４の実施の形態における携帯電話機によるチケット予約システムの例である。
【図８】本発明の第５の実施の形態における携帯電話機による天気予報サービスシステムの例である。
【図９】本発明の第６の実施の形態におけるチェーン店最寄店舗案内サービスシステムの例である。
【図１０】本発明の第７の実施の形態におけるチェーン店最寄店舗案内サービスシステムの例である。
【符号の説明】
１０  高速無線通信網
２０  公衆無線回線
１００  携帯用機器、カメラ付携帯電話機、現在位置取得機能付カメラ付き携帯電話機
１０１  スキャナ
１１０  画像取込手段、画像取込部
１２０  画像送信手段、画像送信部
１３０  ＩＤ受信手段、ＩＤ受信部
１３１  予約情報受信部、場所情報順部
１３２  チェーン店種別受信部
１４０  ＩＤ公衆回線送信手段、ＩＤ公衆回線送信部
１４１  公衆無線回線送信部
１５０  情報受信手段、情報受信部
１６０  現在位置取得部
２００  リモートプロセッサ
２１０  画像受信手段、画像受信部
２２０  ＩＤ解読手段、ＩＤ解読部
２２１  電子すかし解読・バーコード認識・文字認識・フィンガープリンティング検出ソフトウェア
２２２  電子透かし解読・バーコード認識・文字認識・フィンガープリンティング検出ハードウェア
２２３  地図認識ソフトウェア
２３０  ＩＤ送信手段、ＩＤ送信部
３００  外部サーバ、
３１０  ＩＤ情報データベース
３４０  チェーン店データベース
４００  天気予報センタ
【図１】
2004179782.tif 000003
【図２】
2004179782.tif 000004
【図３】
2004179782.tif 000005
【図４】
2004179782.tif 000006
【図５】
2004179782.tif 000007
【図６】
2004179782.tif 000008
【図７】
2004179782.tif 000009
【図８】
2004179782.tif 000010
【図９】
2004179782.tif 000011
【図１０】
2004179782.tif 000012